(57)【特許請求の範囲】
【請求項１】
オークションに出品された商品の入札金額が決定されるオークションシステムにおいて、
前記商品に付され、前記商品の識別情報と、前記商品の現時点までの最高入札金額と、前記現時点までの最高入札金額で入札した入札者を特定する情報と、前記商品についてのオークション終了条件情報とを含む商品情報を記録する、情報の読み出し及び書き込みが可能な記録媒体と、
前記商品情報を前記記録媒体から読み取る第1読取手段と、
前記記録媒体に記録された前記現時点までの最高入札金額よりも大きい入札金額を、新たな前記現時点までの最高入札金額として前記記録媒体へ入力する入札手段と、
を有する携帯端末装置と、
前記商品情報を前記記録媒体から読み取る第２読取手段と、
前記第２読取手段で読み取った前記商品情報を格納する格納手段と、
前記オークション終了条件を満たすかを判定し、前記オークション終了条件を満たすとき、前記格納手段に格納された前記入札者を特定する情報に基づいて落札者を決定する落札者決定手段と、
を有する情報管理装置と、
を有するオークションシステム。
【請求項２】
前記商品についてのオークション終了条件情報は、入札終了時刻を含み、
前記落札者決定手段は、前記入札時刻に達したかを判定し、前記入札時刻に達したとき、前記格納手段に格納された前記入札者を特定する情報に基づいて落札者を決定することを特徴とする請求項１に記載のオークションシステム。
【請求項３】
前記情報管理装置は前記携帯端末装置とネットワークを介して接続されていることを特徴とする請求項１又は２に記載のオークションシステム。
【請求項４】
入札終了時刻に達した時点で、最高入札金額を提示した入札者に、商品落札者となったことを通知する通知部を有することを特徴とする請求項２又は３に記載のオークションシステム。
【請求項５】
前記オークション終了条件情報は、商品の希望落札価格に関する情報を含み、
前記希望落札価格の入札金額を入力した入札者に対して、商品落札者となったことを通知する通知部を有することを特徴とする請求項１乃至４のいずれか１項に記載のオークションシステム。
【請求項６】
前記オークション終了条件情報は、入札終了時刻を含み、
前記入札終了時刻は、入札終了時刻監視手段により通知されることを特徴とする請求項１乃至５のいずれか１項に記載のオークションシステム。
【請求項７】
前記オークション終了条件情報は、入札終了時刻を含み、
前記入札終了時刻は、第三者によって通知されることを特徴とする請求項１乃至５のいずれか１項に記載のオークションシステム。
【請求項８】
前記記録媒体は、ICタグであることを特徴とする請求項１乃至７のいずれか１項に記載のオークションシステム。
【請求項９】
前記携帯端末装置は、携帯型RFIDリーダ/ライタであることを特徴とする請求項１乃至７のいずれか１項に記載のオークションシステム。
【発明の詳細な説明】
【技術分野】
【０００１】
本発明は、オークションにおいて、出品商品に記録媒体を取り付け、参加者は携帯端末装置を用いることにより、オークションを実行するオークションシステムに関する。
【背景技術】
【０００２】
係員が1つの商品に対して複数の参加者に入札金額を提示させ、最高入札金額を提示した参加者に商品を売るというオークションが行われている。さらに、インターネットを利用して、参加者が、出品されている商品を閲覧、検索等を行い、所望する商品を発見すると、入札金額を設定し所定の操作をすることにより、当該商品に対して入札するというインターネットオークションも行われている。
【０００３】
従来からオークションの作業効率を向上させるため様々な技術が提案されている。
【０００４】
例えば、オークションにおいて落札した商品に関する情報を落札後直ちにデータベースに登録でき、作業効率の高い落札情報登録システムを提供する技術がある(特許文献1)。
【０００５】
また、例えば、複数の商品のオークションの入札状況を監視し続けることを必要とせずに、ある1つの商品のオークションの結果によって、他の商品に対して適切な入札を行うことを可能にする技術がある(特許文献2)。
【特許文献１】特開2005-122629号公報
【特許文献２】特開2005-228231号公報
【発明の開示】
【発明が解決しようとする課題】
【０００６】
しかし、既存のインターネットオークションでは、商品を画像等から確認できるのみで、実物を見ることができず、商品を購入することに抵抗を示す参加者も居る。また、上述した落札情報登録システムでは、オークションにおいて落札した商品に関する情報を直ちにデータベースに登録することはできるが、商品が落札に至るまでの入札状況等の途中経過を管理してオークションを実現する技術については開示されていない。
【０００７】
本発明の目的は、オークションにおいて、参加者が、出品商品を直接確認することができ、さらに、手間暇をかけることなく、参加者のみによってオークションを実行することができるICタグ等を用いた新規なオークションシステムを提供することにある。
【課題を解決するための手段】
【０００９】
本発明は、オークションに出品された商品の入札金額が決定されるオークションシステムにおいて、前記商品に付され、前記商品の識別情報と、前記商品の現時点までの最高入札金額と、前記現時点までの最高入札金額で入札した入札者を特定する情報と、前記商品についてのオークション終了条件情報とを含む商品情報を記録する、情報の読み出し及び書き込みが可能な記録媒体と、前記商品情報を前記記録媒体から読み取る第1読取手段と、前記記録媒体に記録された前記現時点までの最高入札金額よりも大きい入札金額を、新たな前記現時点までの最高入札金額として前記記録媒体へ入力する入札手段と、を有する携帯端末装置と、前記商品情報を前記記録媒体から読み取る第２読取手段と、前記第２読取手段で読み取った前記商品情報を格納する格納手段と、前記オークション終了条件を満たすかを判定し、前記オークション終了条件を満たすとき、前記格納手段に格納された前記入札者を特定する情報に基づいて落札者を決定する落札者決定手段と、を有する情報管理装置と、を有するオークションシステムである。
【００１２】
また、本発明は、前記オークション終了条件情報は、入札終了時刻に関する情報であり、入札終了時刻に達した時点で、最高入札金額を提示した入札者に、商品落札者となったことを通知する通知部を有することを特徴とするオークションシステムである。これによれば、最高入札金額を提示した入札者は、オークション終了後に、自分が落札者になったことを知ることができる。
【００１３】
また、本発明は、前記オークション終了条件情報は、入札金額に関する情報であり、商品をある価格で売却したいという希望落札価格を提示した入札者に、商品落札者となったことを通知する通知部を有することを特徴とするオークションシステムである。これによれば、希望落札価格を提示した入札者は、オークション終了後に、自分が落札者になったことを知ることができる。
【００１４】
また、本発明は、前記オークション終了条件情報は、入札終了時刻に関する情報であり、前記入札終了時刻は、入札終了時刻監視手段により通知されることを特徴とするオークションシステムである。これによれば、入札終了時刻監視手段により、入札時刻が通知されるオークションシステムを提供することができる。
【００１５】
また、本発明は、前記オークション終了条件情報は、入札終了時刻に関する情報であり、前記入札終了時刻は、第三者によって通知されることを特徴とするオークションシステムである。これによれば、第三者により、入札時刻が通知されるオークションシステムを提供することができる。
【００１６】
また、本発明は、前記記録媒体は、ICタグであることを特徴とするオークションシステムである。これによれば、オークション参加者は、携帯端末装置を用いて、ICタグの電波の届く範囲内で、商品情報の読み込みや、新たな商品情報をICタグに書き込むことができる。
【００１８】
また、本発明は、前記携帯端末装置は、携帯型RFIDリーダ/ライタであることを特徴とするオークションシステムである。携帯型RFIDリーダ/ライタであることを特徴とするオークションシステムである。これによれば、オークション参加者は、携帯型RFIDリーダ/ライタを用いて、ICタグの電波の届く範囲内で、商品情報の読み込みや、新たな商品情報をICタグに書き込むことができる。
【発明の効果】
【００２０】
オークションにおいて、出品商品に記録媒体を取り付け、参加者は携帯端末装置を使用して、前記記録媒体に対して、商品情報の読み込みを行い、入札を行いたい場合は、前記記録媒体に対して、入札金額を書き込むことで、参加者は、出品商品を直接確認でき、手間暇をかけることなく、オークションを実行することができる。
【発明を実施するための最良の形態】
【００２１】
以下に本発明の実施の形態を図面を用いて説明する。なお、本発明は、この実施の形態に限られない。
【実施例１】
【００２２】
実施例1では、オークション商品に取り付ける記録媒体として、ICタグを用いる場合について述べる。
【００２３】
図1は、本実施例におけるオークションシステムの概念図を示す。図1のオークションシステムでは、出品商品にはICタグが取り付けられており、ICタグは、当該商品の商品ID、商品の性能、入札開始時刻、入札終了時刻等の情報を有している。オークション参加者は、出品商品に取り付けられたICタグに対して、商品情報の読み込み、書き込みを行うことができる携帯型RFIDリーダ/ライタ20を有する。また、情報管理装置10が、一定時間毎にオークション商品の商品情報を更新している。
【００２４】
図4は、情報管理装置10の構成の一例を簡略的に示すブロック図である。情報管理装置10は、参加者の連絡先・決済情報等を記憶する会員情報管理部3と、参加者による操作部9からの操作に応じて、参加者にID/パスワードを発行するID/パスワード発行部1と、出品商品に取り付けられたICタグに対して商品情報(商品ID、商品性能、入札開始時刻、入札終了時刻、現在の最高入札金額)の読み込み、書き込みを行う情報管理装置RFIDリーダ/ライタ部6と、情報管理装置RFIDリーダ/ライタ部6によって読み込まれた商品情報を保存するオークション情報管理部8と、一定時間毎に商品に取り付けられたICタグの情報を読み込ませるための通知をするタイマ監視部7と、最高入札金額を提示した参加者に商品の落札者であることをメールで通知するメール送信部2とが、オークション進行制御部5に接続されている。オークション進行制御部5は、これら各部を制御するとともに、落札終了条件を満たすと、落札者を決定する。また、後述する携帯型RFIDリーダ/ライタ20より会員情報、オークション情報の問い合わせを受け付ける通信部4が、会員情報管理部3とオークション情報管理部8に接続されている。
【００２５】
参加者によって、連絡先等が入力され、情報管理装置10がID/パスワードを発行する処理について説明する。
【００２６】
オークション進行制御部5における参加者情報入力についての処理を図7を参照しつつ説明する。
【００２７】
ステップS001において、オークション進行制御部5は、操作部9から、参加者によって、連絡先・決済情報が入力されたことの通知があったか否かを判定する。連絡先とは参加者のメールアドレスであり、参加者が落札者となった場合に、入力された連絡先にその旨を通知する。決済情報とは、落札した商品をどのような形態で購入するかを言う。例えば、銀行口座を指定し、落札金額を引き落とし、直ちに商品の購入を行う等である。この判定が肯定的であった場合は、参加者によって、連絡先・決済情報が入力されたことの通知があったため、処理はステップS002へ移行する。一方、この判定が否定的であった場合は、処理はステップS001に戻る。
【００２８】
ステップS002において、オークション進行制御部5は、会員情報管理部3に入力された連絡先・決済情報を保存する。処理はステップS003へ移行する。
【００２９】
ステップS003において、オークション進行制御部5は、参加者にID/パスワードを発行するために、ID/パスワード発行部1を起動する。ID/パスワードは、参加者が携帯型RFIDリーダ/ライタ20を用いてオークションを開始するために必要となるものである。情報管理装置10によって、参加者が認証されると、携帯型RFIDリーダ/ライタ20を用いてICタグに商品情報を書き込むことが可能となる。認証作業をすることで、他人が本人に成り済まして入札金額を設定することを防止することができる。処理は終了する。
【００３０】
ID/パスワード発行部1におけるID/パスワード発行についての処理を図8を参照しつつ説明する。
【００３１】
ステップS004において、ID/パスワード発行部1は、オークション進行制御部5より起動通知があったか否かを判定する。この判定が肯定的であった場合は、起動通知があったため、処理はステップS005へ移行する。一方、この判定が否定的であった場合は、処理はステップS004に戻る。
【００３２】
ステップS005において、ID/パスワード発行部1は、各参加者に唯一に対応付けられたユーザID/パスワードを発行する。
【００３３】
ステップS006において、ID/パスワード発行部1は、発行したユーザID/パスワードの情報をオークション進行制御部5へ通知する。処理は終了する。
【００３４】
オークション進行制御部5における参加者の連絡先等の保存についての処理を図9を参照しつつ説明する。
【００３５】
ステップS007において、オークション進行制御部5は、ID/パスワード発行部1よりID/パスワードの通知があったか否かを判定する。この判定が肯定的であった場合は、通知があったため、処理はステップS008へ移行する。一方、この判定が否定的であった場合は、処理はステップS007に戻る。
【００３６】
ステップS008において、オークション進行制御部5は、ステップS007において通知された参加者の連絡先等と、ID/パスワードを対応付けて会員情報管理部3に保存する。処理は終了する。
【００３７】
続いて、情報管理装置10が、出品商品の商品情報を更新し、入札終了時刻を経過している商品があった場合、当該商品の落札者へ落札したことを通知する処理について説明する。
【００３８】
まず、オークション進行制御部5におけるRFIDリーダ/ライタ部起動についての処理を図10を参照しつつ説明する。
【００３９】
ステップS101において、オークション進行制御部5は、タイマ監視部7より、商品情報を更新する時間に達したという通知があったか否かを判定する。この判定が肯定的であった場合は、商品情報を更新する時間に達したという通知があったため、処理はステップS102へ移行する。一方、この判定が否定的であった場合は、処理はステップS101に戻る。
【００４０】
ステップS102において、オークション進行制御部5は、情報管理装置RFIDリーダ/ライタ部6を起動する。処理は終了する。
【００４１】
次に、情報管理装置RFIDリーダ/ライタ部6における商品情報の読み込みについての処理を図11を参照しつつ説明する。
【００４２】
ステップS103において、情報管理装置RFIDリーダ/ライタ部6は、オークション進行制御部5から起動通知があったか否かを判定する。この判定が肯定的であった場合は、起動通知があったため、処理はステップS104へ移行する。一方、この判定が否定的であった場合は、処理はステップS103に戻る。
【００４３】
ステップS104において、情報管理装置RFIDリーダ/ライタ部6は、出品商品に取り付けられたICタグから商品情報を読み込む。処理はステップS105へ移行する。
【００４４】
ステップS105において、情報管理装置RFIDリーダ/ライタ部6は、読み込んだ商品情報をオークション情報管理部8に保存する。処理はステップS106へ移行する。
【００４５】
ステップS106において、情報管理装置RFIDリーダ/ライタ部6は、ステップS104において取得した商品情報の入札終了時刻に到達しているか否かを判定する。この判定が肯定的であった場合は、入札終了時刻に到達しているため、処理はステップS107へ移行する。一方、この判定が否定的であった場合は、処理は終了する。
【００４６】
ステップS107において、情報管理装置RFIDリーダ/ライタ部6は、入札終了時刻に到達している商品のICタグに対して、参加者による書き込みを行えなくさせるためのフラグを立てる。これによって、入札終了時刻に到達した商品に対して、参加者は入札金額を書き込むことが出来なくなる。処理はステップS108へ移行する。
【００４７】
ステップS108において、情報管理装置RFIDリーダ/ライタ部6は、オークション進行制御部5に、入札終了時刻に到達した商品の商品ID、落札者のユーザIDを通知する。処理は終了する。
【００４８】
続いて、オークション進行制御部5におけるメール送信部起動についての処理を図12を参照しつつ説明する。
【００４９】
ステップS109において、オークション進行制御部5は、情報管理装置RFIDリーダ/ライタ部6から入札終了時刻に到達した商品の商品ID、落札者のユーザIDの通知があったか否かを判定する。この判定が肯定的であった場合は、商品ID等の通知があったため、処理はステップS110へ移行する。一方、この判定が否定的であった場合は、処理はステップS109に戻る。
【００５０】
ステップS110において、オークション進行制御部5は、通知されたユーザIDを参照して会員情報管理部3から落札者の連絡先・決済情報を取得する。処理はステップS111へ移行する。
【００５１】
ステップS111において、オークション進行制御部5は、メール送信部2を起動するとともに、ステップS110において取得した落札者の連絡先・決済情報を通知する。処理は終了する。
【００５２】
次に、メール送信部2における落札者へのメール送信についての処理を図13を参照しつつ説明する。
【００５３】
ステップS112において、メール送信部2は、オークション進行制御部5から起動通知があったか否かを判定する。この判定が肯定的であった場合は、起動通知があったため、処理はステップS113へ移行する。一方、この判定が否定的であった場合は、処理はステップS112に戻る。
【００５４】
ステップS113において、メール送信部2は、オークション進行制御部5から通知された連絡先へメールを送信する。送信内容は、落札した商品の商品ID、落札金額等である。これによって、参加者は自分が落札者になったことを確認することができる。処理は終了する。
【００５５】
なお、本実施例では、情報管理装置10が、オークションに出品された商品の入札終了時刻を監視し、入札終了時刻に達するとオークションを終了していたが、他の構成にすることも考えられる。例えば、出品者が商品をある価格で売却したい場合、希望落札価格を設定しておく。そして、情報管理装置10は、商品の入札価格を監視し、希望落札価格で入札した参加者が現れた時点でオークションを終了する構成にすることも考えられる。
【００５６】
続いて、参加者が、携帯型RFIDリーダ/ライタ20を使用して、出品商品に取り付けられたICタグの商品情報を読み込み、入札金額を書き込む処理について説明する。
【００５７】
図3は、携帯型RFIDリーダ/ライタ20の構成の一例を簡略的に示すブロック図である。
【００５８】
携帯型RFIDリーダ/ライタ20は、オークションに出品された商品に取り付けられたICタグに対して商品情報の読み込み、書き込みを行う携帯型RFIDリーダ/ライタ部15と、商品情報を表示する表示部11、参加者によって読み込み、書き込みの操作が行われる操作部12、通信部13とが、制御部14に接続されている。制御部14は、これら各部を総合的に制御する。
【００５９】
携帯型RFIDリーダ/ライタ部15についての処理を図を参照しつつ説明する。
【００６０】
まず、制御部14におけるリーダ/ライタ部起動についての処理を図14を参照しつつ説明する。
【００６１】
ステップS201において、制御部14は、操作部12から、参加者により、ICタグの読み込みを指示する操作がされたことの通知があったか否かを判定する。実施例1では、オークション商品にICタグを取り付けているため、携帯型RFIDリーダ/ライタ部15は電波の届く範囲のICタグの商品情報をまとめて読み込むことができる。これにより、参加者はオークションに出品された商品の商品性能を比較したい場合などは、商品情報をまとめて読み込むことができ、さらに、携帯型RFIDリーダ/ライタを操作することで、複数の商品情報の中から入札する商品を選択することができる。この判定が肯定的であった場合は、通知があったため、処理はステップS202へ移行する。一方、この判定が否定的であった場合は、処理はステップS201に戻る。
【００６２】
ステップS202において、制御部14は、携帯型RFIDリーダ/ライタ部15を起動する。処理は終了する。
【００６３】
携帯型RFIDリーダ/ライタ部15におけるICタグの読み込みについての処理を図15を参照しつつ説明する。
【００６４】
ステップS203において、携帯型RFIDリーダ/ライタ部15は、制御部14から、起動通知があったか否かを判定する。この判定が肯定的であった場合は、起動通知があったため、処理はステップS204へ移行する。一方、この判定が否定的であった場合は、処理はステップS203に戻る。
【００６５】
ステップS204において、携帯型RFIDリーダ/ライタ部15は、オークション商品に取り付けられたICタグの商品情報を読み込む。処理はステップS205へ移行する。
【００６６】
ステップS205において、携帯型RFIDリーダ/ライタ部15は、ICタグの商品情報から、読み込んだオークション商品の入札終了時刻に到達していないか否かを判定する。この判定が肯定的であった場合は、入札終了時刻に到達していないため、処理はステップS206へ移行する。一方、この判定が否定的であった場合は、処理はステップS207へ移行する。
【００６７】
ステップS206において、携帯型RFIDリーダ/ライタ部15は、ICタグの読み込みが完了したこと(入札終了時刻に到達していないこと)を制御部14へ通知する。処理は終了する。
【００６８】
ステップS207において、携帯型RFIDリーダ/ライタ部15は、ICタグの読み込みが完了したこと(入札終了時刻に到達していること)を制御部14へ通知する。処理は終了する。
【００６９】
制御部14における表示部11に入札終了時刻に到達していることの表示についての処理を図16を参照しつつ説明する。
【００７０】
ステップS208において、制御部14は、携帯型RFIDリーダ/ライタ部15から、ICタグの読み込み完了通知(入札終了時刻に到達していること)があったか否かを判定する。この判定が肯定的であった場合は、完了通知があったため、処理はステップS209へ移行する。一方、この判定が否定的であった場合は、処理はステップS208に戻る。
【００７１】
ステップS209において、制御部14は、表示部11に、「入札終了時刻に到達しているため、入札を行えません。」というメッセージを表示し、参加者に入札商品の変更を促す。処理はステップS210へ移行する。
【００７２】
ステップS210において、制御部14は、表示部11に待ち受け画面を表示する。処理は終了する。
【００７３】
制御部14における表示部11に商品情報の表示についての処理を図17を参照しつつ説明する。
【００７４】
ステップS211において、制御部14は、携帯型RFIDリーダ/ライタ部15から、ICタグの読み込み完了通知(入札終了時刻に到達していないこと)があったか否かを判定する。この判定が肯定的であった場合は、完了通知があったため、処理はステップS212へ移行する。一方、この判定が否定的であった場合は、処理はステップS211に戻る。
【００７５】
ステップS212において、制御部14は、表示部11に商品情報を表示する。参加者は読み込んだ商品情報を基に入札操作を行うことができる。このように実施例1では、オークション商品にICタグを取り付けているため、参加者は携帯型RFIDリーダ/ライタ20を用いて、読み込んだ時点での最高入札金額を即座に確認することができる。処理はステップS213へ移行する。
【００７６】
ステップS213において、制御部14は、参加者により入札操作があったか否かを判定する。実施例1における入札操作とは、現在の最高入札金額よりも大きい金額を設定して、商品を購入しようとすることを言う。このように実施例1では、オークション商品にICタグを取り付けているため、参加者は携帯型RFIDリーダ/ライタ20を用いて、入札金額を即座に書き込むことができる。この判定が肯定的であった場合は、入札操作があったため、処理はステップS214へ移行する。一方、この判定が否定的であった場合は、処理はステップS213に戻る。
【００７７】
ステップS214において、制御部14は、参加者により設定された入札金額が最高入札金額よりも大きいか否かを判定する。オークションにおいては、ある商品の最高入札金額よりも、高い入札金額を設定しなければ、商品を落札することができないため、ステップS214の判定を設けている。この判定が肯定的であった場合は、入札金額が最高入札金額よりも大きいため、処理はステップS215へ移行する。一方、この判定が否定的であった場合は、処理はステップS216へ移行する。
【００７８】
ステップS216において、制御部14は、表示部11に、「入札金額が最高入札金額よりも小さいため、入札を行えません。」というメッセージを表示し、参加者に入札金額の変更を促す。処理はステップS213に戻る。
【００７９】
ステップS215において、制御部14は、携帯型RFIDリーダ/ライタ部15を起動する。処理は終了する。
【００８０】
携帯型RFIDリーダ/ライタ部15におけるICタグへの入札金額の書き込みについての処理を図18を参照しつつ説明する。
【００８１】
ステップS217において、携帯型RFIDリーダ/ライタ部15は、制御部14から、起動通知があったか否かを判定する。この判定が肯定的であった場合は、起動通知があったため、処理はステップS218へ移行する。一方、この判定が否定的であった場合は、処理はステップS217に戻る。
【００８２】
ステップS218において、携帯型RFIDリーダ/ライタ部15は、ユーザID、入札金額をICタグに書き込む。処理は終了する。
【実施例２】
【００８３】
実施例2では、オークション商品に取り付ける記録媒体として、二次元コードを用いる場合について述べる。
【００８４】
図2は、本実施例におけるオークションシステムの概念図を示す。図2のオークションシステムでは情報管理サーバ30が、インターネットなどのネットワークに接続されている。オークションに出品された商品には二次元コードが取り付けられており、二次元コードは、オークション商品の商品ID、商品の性能、入札開始時刻、入札終了時刻等の情報を有している。二次元コードとしては、代表的なものにQRコードがある。オークション参加者は、ネットワークを介して情報管理サーバ30に接続可能な携帯端末装置40を有する。携帯端末装置40は、携帯電話機やPDA(Personal Digital Assistance)等である。
【００８５】
図5は、携帯端末装置40の構成の一例を簡略的に示すブロック図である。携帯端末装置40は、ROM37、RAM38、記憶部39、通信部34、情報読取部36、表示部31、操作部32が制御部35に接続されている。制御部35は、携帯端末装置40の機能を総合的に制御する。情報読取部36は、オークション商品に取り付けられた二次元コードを読み取る。表示部31は、読み取った二次元コードの情報を表示する。操作部32は、参加者からの各種操作を受け付ける。記憶部39は、二次元コードをデコードするためのプログラムやデコードされた商品情報等を格納する。ROM37は、携帯端末装置40のOS(Operating System)や通信を行うためのプログラム等を格納している。RAM38は、記憶部39のプログラムや情報読み取り部36で撮像した画像を一時的に保存し、プログラムの実行や情報の処理を行うために使用される。通信部34は、ネットワークと接続するための通信機能を提供する。
【００８６】
図6は、情報管理サーバ30の構成の一例を簡略的に示すブロック図である。情報管理サーバ30は、参加者の連絡先・決済情報等を記憶する会員情報管理部43と、参加者にID/パスワードを発行するID/パスワード発行部41と、最高入札金額を提示した参加者に商品の落札者であることを通知するメール送信部42と、携帯端末装置40との通信を行う通信部45と、オークションに出品された商品情報、参加者から提示された入札金額等を保存する情報管理DB46とが、制御部44に接続されている。制御部44は、情報管理サーバ30の機能を総合的に制御する。
【００８７】
参加者によって、連絡先等が入力され、情報管理サーバ30がID/パスワードを発行する処理について説明する。
【００８８】
携帯端末装置40についての処理を図を参照しつつ説明する。
【００８９】
通信部34における参加者の連絡先等の送信についての処理を図19を参照しつつ説明する。
【００９０】
ステップS301において、通信部34は、制御部35より、参加者によって、操作部32から連絡先・決済情報が入力されたことの通知があったか否かを判定する。この判定が肯定的であった場合は、参加者によって、操作部32から連絡先・決済情報が入力されたことの通知があったため、処理はステップS302へ移行する。一方、この判定が否定的であった場合は、処理はステップS301に戻る。
【００９１】
ステップS302において、通信部34は、制御部35から通知された参加者の連絡先等を情報管理サーバ30の通信部45へ送信する。処理は終了する。
【００９２】
続いて、情報管理サーバ30についての処理を図を参照しつつ説明する。
【００９３】
制御部44におけるID/パスワード発行部起動についての処理を図20を参照しつつ説明する。
【００９４】
ステップS303において、制御部44は、通信部45から、携帯端末装置40の通信部34より、参加者の連絡先等の通知がされたことの通知があったか否かを判定する。この判定が肯定的であった場合は、参加者の連絡先等の通知がされたことの通知があったため、処理はステップS304へ移行する。一方、この判定が否定的であった場合は、処理はステップS303に戻る。
【００９５】
ステップS304において、制御部44は、参加者にID/パスワードを発行するために、ID/パスワード発行部41を起動する。ID/パスワードは、参加者が携帯端末装置40を用いてオークションを開始するために必要となるものである。情報管理サーバ30によって、参加者が認証されると、携帯端末装置40を用いて、情報管理サーバ30に、所望する商品の入札金額を登録することが可能となる。
【００９６】
ID/パスワード発行部41におけるID/パスワード発行についての処理を図21を参照しつつ説明する。
【００９７】
ステップS305において、ID/パスワード発行部41は、制御部44より起動通知があったか否かを判定する。この判定が肯定的であった場合は、起動通知があったため、処理はステップS306へ移行する。一方、この判定が否定的であった場合は、処理はステップS305に戻る。
【００９８】
ステップS306において、ID/パスワード発行部41は、各参加者に唯一に対応付けられたユーザID/パスワードを発行する。処理はステップS307へ移行する。
【００９９】
ステップS307において、ID/パスワード発行部41は、発行したユーザID/パスワードを制御部44へ通知する。処理は終了する。
【０１００】
その後、制御部44は、参加者にユーザID/パスワードを通知するために、通信部45を起動する。ユーザID/パスワードは、通信部45より、携帯端末装置40に送信され、参加者は自分のユーザID/パスワードを取得できる。参加者は、これらを用いて、情報管理サーバ30に、オークション商品の入札金額を登録することができるようになる。
【０１０１】
続いて、参加者によって、オークション商品に取り付けられた二次元コードが読み取られ、携帯端末装置40が、商品情報を取得する処理について説明する。
【０１０２】
携帯端末装置40についての処理を図を参照しつつ説明する。
【０１０３】
情報読取部36における二次元コード撮像についての処理を図22を参照しつつ説明する。
【０１０４】
ステップS401において、情報読取部36は、参加者によって、二次元コードが撮像されたか否かを判定する。この判定が肯定的であった場合は、二次元コードが撮像されたため、処理はステップS402へ移行する。一方、この判定が否定的であった場合は、処理はステップS401に戻る。
【０１０５】
ステップS402において、情報読取部36は、撮像した二次元コードの画像をRAM38に保存する。処理はステップS403へ移行する。
【０１０６】
ステップS403において、情報読取部36は、撮像した二次元コードの画像の保存を完了したことを制御部35に通知する。処理は終了する。
【０１０７】
制御部35における二次元コードのデコードについての処理を図23を参照しつつ説明する。
【０１０８】
ステップS404において、制御部35は、情報読取部36から、画像の保存完了通知があったか否かを判定する。この判定が肯定的であった場合は、画像の保存完了通知があったため、処理はステップS405へ移行する。一方、この判定が否定的であった場合は、処理はステップS404に戻る。
【０１０９】
ステップS405において、制御部35は、撮像された二次元コードをデコードする。デコードは、制御部35が、記憶部39から二次元コードをデコードするためのプログラムをRAM38へ読み込み、当該プログラムを実行することにより行われる。処理はステップS406へ移行する。
【０１１０】
ステップS406において、制御部35は、二次元コードをデコードしたことにより得られた商品情報を表示部31に表示する。これにより、参加者は商品情報(商品ID、商品の性能、入札開始時刻、入札終了時刻等)を知ることができる。
【０１１１】
ステップS407において、制御部35は、商品情報を記憶部39へ保存する。処理は終了する。これにより、参加者は、商品情報を参照したい時は、オークション会場を離れた場合でも、即座に商品情報を参照することが可能となる。
【０１１２】
続いて、参加者が、携帯端末装置40から、所望する商品の最高入札金額を確認する処理について説明する。
【０１１３】
制御部44における最高入札金額の確認についての処理を図24を参照しつつ説明する。
【０１１４】
ステップS408において、制御部44は、通信部45から、携帯端末装置40の通信部34より、参加者による商品情報確認操作がされたことの通知があったか否かを判定する。この判定が肯定的であった場合は、参加者による商品情報確認操作がされたことの通知があったため、処理はステップS409へ移行する。一方、この判定が否定的であった場合は、処理はステップS408に戻る。ここで、商品情報確認操作とは、参加者が、ユーザID/パスワード、商品IDを入力し、当該商品IDを持つ商品の現在の最高入札金額を確認することを言う。
【０１１５】
ステップS409において、制御部44は、通信部45より通知されたユーザIDとパスワードを基に本人確認の認証を行う。処理はステップS410へ移行する。
【０１１６】
ステップS410において、制御部44は、商品IDを参照して、情報管理DB46から該当する商品の現在の最高入札金額を取得する。処理はステップS411へ移行する。
【０１１７】
ステップS411において、制御部44は、ステップS410において取得した商品の現在の最高入札金額を参加者へ通知するため、通信部45を起動するとともに、当該最高入札金額の情報を通信部45へ通知する。処理は終了する。
【０１１８】
その後、最高入札金額は、通信部45より、携帯端末装置40に送信され、参加者は所望する商品の最高入札金額を取得することができる。参加者は、必要に応じて、商品に入札を行う。
【０１１９】
続いて、参加者が所望する商品に入札を行う処理について図を参照しつつ説明する。
【０１２０】
情報管理サーバ30についての処理を図を参照しつつ説明する。
【０１２１】
制御部44における最高入札金額の更新についての処理を図25を参照しつつ説明する。
【０１２２】
ステップS501において、制御部44は、通信部45から、携帯端末装置40の通信部34より、参加者によって、入札操作がされたことの通知があったか否かを判定する。この判定が肯定的であった場合は、参加者によって、入札操作がされたことの通知があったため、処理はステップS502へ移行する。一方、この判定が否定的であった場合は、処理はステップS501に戻る。ここで、入札操作とは、参加者が、ユーザID/パスワード、商品ID、入札金額を入力し、当該商品IDを持つ商品の現在の最高入札金額を更新することを言う。
【０１２３】
ステップS502において、制御部44は、通信部45より通知されたユーザIDとパスワードを基に本人確認の認証を行う。処理はステップS503へ移行する。
【０１２４】
ステップS503において、制御部44は、最高入札金額を更新するために、商品IDを参照して、情報管理DB46からの該当する商品情報を検索して取得する。処理はステップS504へ移行する。
【０１２５】
ステップS504において、制御部44は、ステップS503において取得した商品情報の最高入札金額を更新する。処理は終了する。
【０１２６】
続いて、情報管理サーバ30が、参加者に落札したことを通知する処理について図を参照しつつ説明する。
【０１２７】
制御部44におけるメール送信部起動についての処理を図26を参照しつつ説明する。
【０１２８】
制御部44は、情報管理DB46に保存された商品情報の入札終了時刻を監視している。ステップS601において、制御部44は、情報管理DB46に保存された商品情報の中から入札終了時刻に到達している商品があるか否かを判定する。この判定が肯定的であった場合は、入札終了時刻に到達している商品があるため、処理はステップS602へ移行する。一方、この判定が否定的であった場合は、処理はステップS601に戻る。
【０１２９】
ステップS602において、制御部44は、情報管理DB36から、入札終了時刻に到達した商品に最高入札金額を提示している参加者のユーザIDを取得する。処理はステップS603へ移行する。
【０１３０】
ステップS603において、制御部44は、ステップS602において取得したユーザIDを参照して、会員情報管理部36から落札者の連絡先・決済情報を取得する。処理はステップS604へ移行する。終了する。
【０１３１】
ステップS604において、制御部44は、メール送信部42を起動するとともに、落札者の連絡先・決済情報、落札した商品の商品ID、落札金額を通知する。処理は終了する。
【０１３２】
メール送信部42における落札者へのメール送信についての処理を図27を参照しつつ説明する。
【０１３３】
ステップS605において、メール送信部42は、制御部44から起動通知があったか否かを判定する。この判定が肯定的であった場合は、起動通知があったため、処理はステップS606へ移行する。一方、この判定が否定的であった場合は、処理はステップS605に戻る。
【０１３４】
ステップS606において、メール送信部42は、制御部44から通知された連絡先を参照して落札者へメールを送信する。送信内容は、落札した商品の商品ID、落札金額である。これによって、参加者は自分が落札者であることを確認することができる。処理は終了する。
【０１３５】
以上の実施の形態は、本発明をより良く理解させるために具体的に説明したものであって、別形態を制限するものではない。従って、発明の趣旨を変更しない範囲で変更可能である。
【図面の簡単な説明】
【０１３６】
【図１】オークションシステムの概念図である。
【図２】オークションシステムの概念図である。
【図３】情報端末装置のハードウェア構成の一例を簡略的に説明したブロック図である。
【図４】情報管理サーバのハードウェア構成の一例を簡略的に説明したブロック図である。
【図５】情報端末装置のハードウェア構成の一例を簡略的に説明したブロック図である。
【図６】情報管理装置のハードウェア構成の一例を簡略的に説明したブロック図である。
【図７】オークション進行制御部の動作を示すフローチャートである。
【図８】ID/パスワード発行部の動作を示すフローチャートである。
【図９】オークション進行制御部の動作を示すフローチャートである。
【図１０】制御部の動作を示すフローチャートである。
【図１１】携帯型RFIDリーダ/ライタ部の動作を示すフローチャートである。
【図１２】制御部の動作を示すフローチャートである。
【図１３】メール送信部の動作を示すフローチャートである。
【図１４】制御部の動作を示すフローチャートである。
【図１５】携帯型RFIDリーダ/ライタ部の動作を示すフローチャートである。
【図１６】制御部の動作を示すフローチャートである。
【図１７】携帯型RFIDリーダ/ライタ部の動作を示すフローチャートである。
【図１８】携帯型RFIDリーダ/ライタ部の動作を示すフローチャートである。
【図１９】通信部の動作を示すフローチャートである。
【図２０】制御部の動作を示すフローチャートである。
【図２１】ID/パスワード発行部の動作を示すフローチャートである。
【図２２】情報読取部の動作を示すフローチャートである。
【図２３】制御部の動作を示すフローチャートである。
【図２４】制御部の動作を示すフローチャートである。
【図２５】制御部の動作を示すフローチャートである。
【図２６】制御部の動作を示すフローチャートである。
【図２７】メール送信部の動作を示すフローチャートである。
【符号の説明】
【０１３７】
1 ID/パスワード発行部、2 メール送信部、3 会員情報管理部、4 通信部、5 オークション進行制御部、6 情報管理装置RFIDリーダ/ライタ部、7 タイマ監視部、8 オークション情報管理部、10 情報管理装置、11 表示部、12 操作部、13 通信部、14 制御部、15 携帯型RFIDリーダ/ライタ部、20 携帯型RFIDリーダ/ライタ、30 情報管理サーバ、31 表示部、32 操作部、34 通信部、35 制御部、36 情報読取部、37 ROM、38 RAM、39 記憶部、40 携帯端末装置、41 ID/パスワード発行部、42 メール送信部、43 会員情報管理部、44 制御部、45 通信部、46 情報管理DB
【図１】
0004826259.tif 000002
【図２】
0004826259.tif 000003
【図３】
0004826259.tif 000004
【図４】
0004826259.tif 000005
【図５】
0004826259.tif 000006
【図６】
0004826259.tif 000007
【図７】
0004826259.tif 000008
【図８】
0004826259.tif 000009
【図９】
0004826259.tif 000010
【図１０】
0004826259.tif 000011
【図１１】
0004826259.tif 000012
【図１２】
0004826259.tif 000013
【図１３】
0004826259.tif 000014
【図１４】
0004826259.tif 000015
【図１５】
0004826259.tif 000016
【図１６】
0004826259.tif 000017
【図１７】
0004826259.tif 000018
【図１８】
0004826259.tif 000019
【図１９】
0004826259.tif 000020
【図２０】
0004826259.tif 000021
【図２１】
0004826259.tif 000022
【図２２】
0004826259.tif 000023
【図２３】
0004826259.tif 000024
【図２４】
0004826259.tif 000025
【図２５】
0004826259.tif 000026
【図２６】
0004826259.tif 000027
【図２７】
0004826259.tif 000028